(57)【特許請求の範囲】
【請求項１】
トラップケーシングで入口と弁室と出口とを形成し、前記弁室と前記出口とを連通する主弁口を開閉する主弁体を、補助のパイロット弁の開閉で変位する圧力応動部材により開閉制御せしめるものにおいて、前記補助のパイロット弁と前記圧力応動部材とを連結するパイロット通路を前記トラップケーシングに形成し、前記入口と前記パイロット通路とを連結する一次側通路を前記トラップケーシングに形成し、前記パイロット通路と前記一次側通路との合流部に三方弁を配置したことを特徴とするパイロット式スチームトラップ。
【発明の詳細な説明】
【技術分野】
【０００１】
本発明は、蒸気配管系に発生する復水を排出するスチームトラップに関し、特に、補助のパイロット弁の開閉で変位する圧力応動部材により主弁体を駆動して主弁口を開閉するようにしたパイロット式スチームトラップに関する。
【背景技術】
【０００２】
従来のパイロット式スチームトラップは、例えば特許文献１に開示されている。これは、トラップケーシングで入口と弁室と出口を形成し、弁室と出口を連通する主弁口を開閉する主弁体を、補助のパイロット弁の開閉で変位する圧力応動部材により開閉制御せしめるものにおいて、補助のパイロット弁と圧力応動部材とを連結するパイロット通路を外部配管により形成し、入口とパイロット通路を連結する一次側通路を外部配管により形成し、パイロット通路と一次側通路の合流部に三方弁を配置したものである。
【先行技術文献】
【特許文献】
【０００３】
【特許文献１】実願平０３−１１０１４５号（実開平０５−０５０２９６号）のＣＤ−ＲＯＭ
【発明の概要】
【発明が解決しようとする課題】
【０００４】
上記従来のパイロット式スチームトラップにおいては、パイロット通路としての外部配管と一次側通路としての外部配管を必要とする。そのため、パイロット式スチームトラップを設置するためのコスト及び労力が大きい問題点があった。
【０００５】
したがって本発明が解決しようとする課題は、パイロット式スチームトラップを設置するためのコスト及び労力を低減できるパイロット式スチームトラップを提供することである。
【課題を解決するための手段】
【０００６】
上記の課題を解決するために、本発明のパイロット式スチームトラップは、トラップケーシングで入口と弁室と出口とを形成し、前記弁室と前記出口とを連通する主弁口を開閉する主弁体を、補助のパイロット弁の開閉で変位する圧力応動部材により開閉制御せしめるものにおいて、前記補助のパイロット弁と前記圧力応動部材とを連結するパイロット通路を前記トラップケーシングの内部に形成し、前記入口と前記パイロット通路とを連結する一次側通路を前記トラップケーシングの内部に形成し、前記パイロット通路と前記一次側通路との合流部に三方弁を配置したことを特徴とするものである。
【発明の効果】
【０００７】
本発明によれば、補助のパイロット弁と圧力応動部材とを連結するパイロット通路をトラップケーシングの内部に形成し、入口とパイロット通路とを連結する一次側通路をトラップケーシングの内部に形成したことにより、パイロット式スチームトラップを設置するためのコスト及び労力を低減できるという効果を奏する。
【図面の簡単な説明】
【０００８】
【図１】本発明の実施の形態に係わるパイロット式スチームトラップの断面図である。
【発明を実施するための形態】
【０００９】
以下、本発明の実施の形態について、図１を参照して説明する。本体１に蓋部材２、３をボルトで締結してトラップケーシングを形成する。トラップケーシングの内部は仕切壁４で入口５の連通する弁室６と出口７の連通する圧力応動部材収容室８に隔てる。入口５は弁室６の上部に開口しスクリーン９を介して弁室６に連通する。入口５と同一軸上に出口７を形成する。弁室６内に補助のパイロット弁としての球形のパイロットフロート１０を自由状態で収容する。パイロットフロート１０は弁室６の液位に応じて浮上降下し、弁室６の底部の仕切壁４にねじ結合した弁座部材１１に離着座する。弁座部材１１は弁室６を下記の圧力室１２に連通するパイロット通路１３の弁室６側の開口部を形成する。
【００１０】
圧力応動部材収容室８にシリンダ部材１４と、シリンダ部材１４内に摺動可能に配置した圧力応動部材としてのピストン部材１５を配置する。ピストン部材１５の上面と蓋２の間の空間が圧力室１２を成す。パイロットフロート１０とピストン部材１５とを連結するパイロット通路１３を仕切壁４に形成する。ピストン部材１５に圧力室１２を出口７に連通するオリフィス１６を形成する。ピストン部材１５の下端に主弁体１８をナット１９で固定する。主弁体１８はピストン部材１５に連動して弁室６を出口７に連通する主弁口２０を開閉する。主弁口２０はシリンダ部材１４の下端に形成する。主弁体１８はスプリング２１で主弁口２０方向に付勢する。シリンダ部材１４に主弁口２０から流出する液体を出口７へ流すための開口２２を開ける。
【００１１】
仕切壁４の上部に入口５、出口７と同一軸上に入口５とパイロット通路１３を連結する一次側通路２３を形成し、パイロット通路１３と一次側通路２３の合流部に三方弁２４を配置する。三方弁２４はＴ字状の開口２５を有するボール弁体２６と入口弁座部材２７及び出口弁座部材２８から構成する。スクリーン９、入口弁座部材２７、ボール弁体２６及び出口弁座部材２８を仕切壁４にねじ結合したホルダ２９で固定する。三方弁２４には紙面の手前側に本体１を貫通して回動操作用の弁軸（図示せず）を連結する。三方弁２４の図示の状態はパイロット通路１３を介してパイロットフロート１０とピストン部材１５を連結し、一次側通路２３を遮断した状態を示している。この状態から弁軸を介してボール弁体２６を回動操作することにより、一次側通路２３を介してパイロットフロート１０とピストン部材１５を連結した状態と、パイロットフロート１０とピストン部材１５を遮断した状態に切換えることができる。
【００１２】
上記実施例の作動は下記の通りである。通常のトラップとして機能させる場合は、三方弁２４によりパイロット通路１３を開けてパイロットフロート１０とピストン部材１５を連通状態にすると共に、一次側通路２３を合流部で遮断する。入口５から流入する復水が微少または無いと、パイロットフロート１０は降下してパイロット通路１３を閉口している。圧力室１２内の圧力はオリフィス１６を通して出口７側に抜けるため、ピストン部材１５が入口５側の流体圧力とスプリング２１の付勢力により上方に押し上げられ、主弁体１８が主弁口２０を閉口している。入口５から多量の復水が流入してくると、パイロットフロート１０は液位の上昇と共に浮上してパイロット通路１３を開口する。これにより、弁室６の復水が圧力室１２に供給されて圧力室１２内の圧力が上昇し、ピストン部材１５が下方に駆動されて主弁体１８が押し下げられ、主弁口２０が開口されて復水が出口５に排出される。図示の状態から弁軸を介してボール弁体２６を９０度回動操作し、一次側通路２３を開けてパイロットフロート１０とピストン部材１５を連結した状態とすることにより、主弁口２０を強制開弁させることができる。また、図示の状態から弁軸を介してボール弁体２６を１８０度回動操作し、パイロットフロート１０とピストン部材１５を遮断した状態とすることにより、主弁口２０を強制閉弁することができる。
【産業上の利用可能性】
【００１３】
本発明は、補助のパイロット弁の開閉で変位する圧力応動部材により主弁体を駆動して主弁口を開閉することにより、蒸気配管系に発生する復水を自動的に排出するパイロット式スチームトラップに利用することができる。
【符号の説明】
【００１４】
１  本体
２  蓋部材
３  蓋部材
４  仕切壁
５  入口
６  弁室
７  出口
１０  パイロットフロート
１３  パイロット通路
１５  ピストン部材
１８  主弁体
２０  主弁口
２３  一次側通路
２４  三方弁
【図１】
0005455544.tif 000002